(57)【要約】【課題】配布先に対して何らかの意思表示や宣伝広告を簡単に行うことができるトイレットペーパを提供する。【解決手段】円筒状の芯体１２と、芯体１２上にロール状に巻き付けられたロールペーパ１４と、芯体１２の空洞に収容された供与品１８とを備えている。供与品１８は、ロールペーパ１４の配布先に配る各種試供品、広告文書、クーポン券等で、芯体１２の空洞内に挿脱自在に収まる大きさのものである。供与品１８は芯体１２の空洞内にすべて収納され、芯体１２及びロールペーパ１４とともに、カバーで包覆されている。芯体１２の端面開口は必要に応じてシール２０で閉塞されている。【選択図】図３
0003106686.tif 000002
【実用新案登録請求の範囲】
【請求項１】
円筒状の芯体と、
前記芯体上にロール状に巻き付けられたペーパと、
前記芯体の空洞に収容された供与品とを備えたことを特徴とするトイレットペーパ。
【請求項２】
請求項１記載のトイレットペーパにおいて、
前記供与品は、前記芯体の空洞内にすべて収納され、前記芯体及び前記ペーパとともにカバーで包覆されていることを特徴とするトイレットペーパ。
【請求項３】
請求項１記載のトイレットペーパにおいて、
前記芯体の端面開口部をシールで閉塞したことを特徴とするトイレットペーパ。
【請求項４】
請求項３記載のトイレットペーパにおいて、
前記シールは透明材料からなるものであることを特徴とするトイレットペーパ。
【請求項５】
請求項３記載のトイレットペーパにおいて、
前記シールは不透明材料からなるものであることを特徴とするトイレットペーパ。
【考案の詳細な説明】
【技術分野】
【０００１】
本考案は、ペーパがロール状に巻き付けられてなるトイレットペーパに関する。
【背景技術】
【０００２】
従来から、古新聞の回収時等で配られるロール状のトイレットペーパには、ロール状ペーパの外面を、薄肉プラスチックのカバーで覆ったものがある。このカバーには品質表示法による表示として寸法や製造元、定形の注意書き文章や模様等が施されている。また、ロール状ペーパに、広告のための文字、記号、図形、絵などを印刷することが案出されている（特許文献１参照）。
【特許文献１】実開平６−３６３４号公報
【考案の開示】
【考案が解決しようとする課題】
【０００３】
ところで、上記の技術には、次のような解決すべき課題があった。
従来の、カバー付きのトイレットペーパは、ロールペーパをカバーで覆った状態のまま配布するものであった。カバーは、特別に注目することが表示されていないから、使用時に直ぐに破棄されてしまうものである。また、柔軟なペーパに、文字、絵等を印刷するには高度な印刷技術を要し、従って配布地域向けの広告文等の表現が簡単にできない。
【０００４】
本考案は、以上の課題を解決するためになされたもので、配布先に対して何らかの意思表示や宣伝広告を簡単に行うことができるトイレットペーパを提供することを目的とする。
【課題を解決するための手段】
【０００５】
本考案は、次のような構成により上記の課題を解決する。
〈構成１〉
円筒状の芯体と、上記芯体上にロール状に巻き付けられたペーパと、上記芯体の空洞に収容された供与品とを備えたことを特徴とするトイレットペーパ。
【０００６】
供与品は、トイレットペーパ配布先に配る各種試供品、広告文書、クーポン券等で、芯体の空洞内に挿脱自在に収まる大きさのものである。広告文書には、配布地域向けの広告文が掲載された書面であることが好ましい。
【０００７】
〈構成２〉
構成１記載のトイレットペーパにおいて、上記供与品は、上記芯体の空洞内にすべて収納され、上記芯体及び上記ペーパとともにカバーで包覆されていることを特徴とするトイレットペーパ。
【０００８】
カバーによって、ペーパの汚れを防止し供与品の落下を防止する。
【０００９】
〈構成３〉
構成１記載のトイレットペーパにおいて、上記芯体の端面開口部をシールで閉塞したことを特徴とするトイレットペーパ。
【００１０】
シールは、体裁を整えると共に、供与品の落下防止となる。
【００１１】
〈構成４〉
構成３記載のトイレットペーパにおいて、上記シールは透明材料からなるものであることを特徴とするトイレットペーパ。
【００１２】
透明なシールを通して芯体内部の供与品を透視できる。
【００１３】
〈構成５〉
構成３記載のトイレットペーパにおいて、上記シールは不透明材料からなるものであることを特徴とするトイレットペーパ。
【００１４】
シールを剥がすまで芯体内部の供与品が何であるか不明であることで、好奇心や楽しみ感を煽ることができる。
【考案を実施するための最良の形態】
【００１５】
以下、本考案の実施の形態を実施例により詳細に説明する。
【実施例１】
【００１６】
図１〜図４は、実施例１のトイレットペーパの説明図である。
実施例１のトイレットペーパ１０は、図示するように、円筒状の芯体１２と、芯体１２上にロール状に巻き付けられたペーパ１４と、芯体１２の空洞に収容された供与品１８とを備えたものである。
【００１７】
供与品１８は、トイレットペーパ１０の配布先に無償で配るもので、芯体１２の空洞内に挿脱自在に収まる大きさのものである。例えば、化粧品や台所用品等の各種試供品、宣伝広告のためのお知らせ文書、クーポン券等があるが、これらを適宜組み合わせたものでもよい。特に、広告文書としては配布地域向けのローカルな広告文が掲載された書面が好ましい。
【００１８】
本考案のトイレットペーパは、図１に示すように外面をカバー１６で覆ったトイレットペーパ１０により構成されることが望ましい。
まず、図２に示すようにトイレットペーパ１０の片側端面の中心部におけるカバー１６を突き破ることにより一部開口し、その内部の円筒状の芯体１２の開口面を露出する。このとき、カバー１６の一部を開口するのは、トイレットペーパの体裁を保つ上でも、最小限の大きさであることが好ましい。
【００１９】
次に、図３に示すように、芯体１２の空洞内に、例えば宣伝広告のためのお知らせ等の文書１８を適宜丸める等して収納する。試供品も合わせて収納してもよい。
そして、図４に示すように、円筒状の芯体１２及びカバー１６の開口面を、粘着シール２０で閉塞する。このようにすれば、カバー１６を新しいものと取り替える必要がない。シール２０及びカバー１６によって、ロール状ペーパ１４の汚れを防止し供与品１８の落下を防止する。
【００２０】
シール２０は、プラスチック、紙等の透明材料あるいは不透明材料からなるものである。シール２０が透明な材料からなるときは、シール２０を通して芯体１２内部の供与品１８を確認できる。シール２０が不透明材料からなるものであるときは、シール２０を剥離するまで、芯体１２内部の供与品１８が何であるか不明であることから、好奇心や楽しみ感、期待感を煽ることができる。配布等の目的によって適宜使い分ければよい。また、シール２０の表面には供与品が入っている旨を表示してもよい。
【００２１】
なお、本考案のトイレットペーパは、図２に示したようなカバー１６を突き破って構成されるものに限定されものでなく、例えば、トイレットペーパの量産中に、芯体１２の空洞内に任意の供与品１８を収容し、その後、カバー１６を設けて図１に示すように構成したものも含むものである。
【図面の簡単な説明】
【００２２】
【図１】実施例１のトイレットペーパの説明図である。
【図２】同トイレットペーパの端面のカバーを一部開口した状態を示す説明図である。
【図３】同トイレットペーパの開口した芯体の空洞に供与品を収納する状態を示す説明図である。
【図４】同トイレットペーパの端面にシールを貼着した状態を示す説明図である。
【符号の説明】
【００２３】
１０  トイレットペーパ
１２  芯体
１４  ペーパ
１６  カバー
１８  供与品
２０  シール
【図１】
0003106686.tif 000003
【図２】
0003106686.tif 000004
【図３】
0003106686.tif 000005
【図４】
0003106686.tif 000006